(57)【要約】中継装置（１００）は、第１通信部及び第２通信部を備えている。第１通信部は、その中継装置（１００）の通信圏内に位置する携帯通信端末（３０）に対して繰り返し通信を試み、通信が確立した携帯通信端末（３０）のそれぞれからその携帯通信端末（３０）の端末識別情報を受信する。第２通信部は、第１通信部が通信を試みるたびに、移動体識別情報を、第１通信部が受信した端末識別情報とともに、在圏情報として情報処理装置（２００）に送信する。情報処理装置（２００）は、在圏情報記憶部及び更新部を備えている。在圏情報記憶部は、中継装置（１００）の第２通信部から受信した在圏情報を記憶する。更新部は、第２通信部から新たな在圏情報を受信するたびに、在圏情報記憶部が記憶している端末識別情報を更新する。
2015029683.tif 000002
【特許請求の範囲】
【請求項１】
人が乗降する移動体に取り付けられ、携帯通信端末と通信する中継装置と、
前記中継装置と通信する情報処理装置と、
を備え、
前記中継装置は、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信手段と、
前記第１通信手段が通信を試みるたびに、前記中継装置又は前記移動体を識別する移動体識別情報、及び前記第１通信手段が受信した前記端末識別情報を、在圏情報として前記情報処理装置に送信する第２通信手段と、
を有し、
前記情報処理装置は、
前記第２通信手段から受信した在圏情報を記憶する在圏情報記憶手段と、
新たな前記在圏情報を前記第２通信手段から受信するたびに、前記在圏情報記憶手段が記憶している前記端末識別情報を更新する更新手段と、
を備える情報処理システム。
【請求項２】
請求項１に記載の情報処理システムにおいて、
前記情報処理装置は、
前記端末識別情報を、当該端末識別情報に対応する前記携帯通信端末のデータ通信用のアドレスに対応付けて記憶するアドレス記憶手段と、
前記移動体の現在位置を示す位置情報を、前記移動体の前記移動体識別情報に対応付けて記憶する位置情報記憶手段と、
前記携帯通信端末に提供すべき少なくとも一つの提供情報を、位置情報に対応付けて記憶する提供情報記憶手段と、
に接続可能であり、
前記更新手段が前記在圏情報記憶手段を更新するたびに、前記在圏情報記憶手段から削除された前記端末識別情報に対応する前記アドレスを前記アドレス記憶手段から読み出すアドレス読出手段と、
前記更新手段が前記在圏情報記憶手段を更新するたびに、前記在圏情報記憶手段から削除された前記端末識別情報に対応する前記移動体識別情報に対応する位置情報を前記位置情報記憶手段から読み出す位置情報読出手段と、
前記位置情報読出手段が読み出した位置情報に対応する提供情報を前記提供情報記憶手段から読み出す提供情報読出手段と、
前記提供情報読出手段が読み出した前記提供情報を前記アドレス読出手段が読み出した前記アドレスを用いて送信する情報送信手段と、
を有する情報処理システム。
【請求項３】
請求項２に記載の情報処理システムにおいて、
前記情報処理装置は、さらに、前記移動体から、当該移動体の現在位置を示す位置情報を前記移動体識別情報に対応付けて受信して前記位置情報記憶手段を更新する位置情報更新手段を備える情報処理システム。
【請求項４】
請求項３に記載の情報処理システムにおいて、
前記移動体は、
当該移動体の現在位置を示す位置情報を生成して前記位置情報更新手段に送信する位置情報生成手段を有し、
前記位置情報生成手段は、当該位置情報生成手段を互いに識別する生成部識別情報を生成した位置情報とともに前記情報処理装置に送信し、
前記情報処理装置は、前記生成部識別情報を前記移動体識別情報に対応付けて記憶する変換情報記憶手段を備え、
前記位置情報更新手段は、前記位置情報生成手段から受信した前記生成部識別情報に対応する前記移動体識別情報を前記変換情報記憶手段から読み出し、読み出した前記移動体識別情報、及び前記位置情報生成手段から受信した位置情報を用いて、前記位置情報記憶手段が記憶している位置情報を更新する情報処理システム。
【請求項５】
請求項４に記載の情報処理システムにおいて、
前記位置情報生成手段は、前記生成部識別情報及び前記生成した位置情報を、前記中継装置を介して前記情報処理装置に送信する情報処理システム。
【請求項６】
請求項４に記載の情報処理システムにおいて、
前記中継装置は、前記在圏情報を、前記位置情報生成手段を介して前記情報処理装置に送信する情報処理システム。
【請求項７】
請求項１〜６のいずれか一項に記載の情報処理システムにおいて、
前記移動体はバス又は列車である情報処理システム。
【請求項８】
人が乗降する移動体に取り付けられ、携帯通信端末と通信する中継装置であって、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信手段と、
前記第１通信手段が通信を試みるたびに、前記中継装置又は前記移動体を識別する移動体識別情報、及び前記第１通信手段が受信した前記端末識別情報を、在圏情報として情報処理装置に送信する第２通信手段と、
を備える中継装置。
【請求項９】
人が乗降する移動体に取り付けられていて携帯通信端末と通信する中継装置と通信する情報処理装置であって、
前記中継装置又は前記移動体を識別する移動体識別情報、及び前記中継装置が前記携帯通信端末から受信した端末識別情報を、在圏情報として記憶する在圏情報記憶手段と、
新たな前記在圏情報を前記中継装置から受信し、かつ前記在圏情報を受信するたびに、前記在圏情報記憶手段が記憶している前記端末識別情報を更新する更新手段と、
を備える情報処理装置。
【請求項１０】
請求項９に記載の情報処理装置において、
前記端末識別情報を、当該端末識別情報に対応する前記携帯通信端末のデータ通信用のアドレスに対応付けて記憶するアドレス記憶手段と、
前記移動体の現在位置を示す位置情報を、前記移動体の前記移動体識別情報に対応付けて記憶する位置情報記憶手段と、
前記携帯通信端末に提供すべき少なくとも一つの提供情報を、位置情報に対応付けて記憶する提供情報記憶手段と、
に接続可能であり、
前記更新手段が前記在圏情報記憶手段を更新するたびに、前記在圏情報記憶手段から削除された前記端末識別情報に対応する前記アドレスを前記アドレス記憶手段から読み出すアドレス読出手段と、
前記更新手段が前記在圏情報記憶手段を更新するたびに、前記在圏情報記憶手段から削除された前記端末識別情報に対応する前記移動体識別情報に対応する位置情報を前記位置情報記憶手段から読み出す位置情報読出手段と、
前記位置情報読出手段が読み出した位置情報に対応する提供情報を前記提供情報記憶手段から読み出す提供情報読出手段と、
前記提供情報読出手段が読み出した前記提供情報を前記アドレス読出手段が読み出した前記アドレスを用いて送信する情報送信手段と、
を備える情報処理装置。
【請求項１１】
人が乗降する移動体に取り付けられ、携帯通信端末と通信する中継装置に用いられるプログラムであって、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信機能と、
前記第１通信機能により前記中継装置が通信を試みるたびに、前記中継装置又は前記移動体を識別する移動体識別情報、及び前記第１通信機能によって受信した前記端末識別情報を、在圏情報として前記情報処理装置に送信する第２通信機能と、
を前記中継装置に持たせるプログラム。
【請求項１２】
情報処理装置に用いられるプログラムであって、
前記情報処理装置は、人が乗降する移動体に取り付けられていて携帯通信端末と通信する中継装置と通信し、
前記中継装置又は前記移動体を識別する移動体識別情報、及び前記中継装置が前記携帯通信端末から受信した端末識別情報を、在圏情報として記憶する在圏情報記憶機能と、
新たな前記在圏情報を前記中継装置から受信し、かつ前記在圏情報を受信するたびに、前記在圏情報記憶機能に記憶されている前記端末識別情報を更新する更新機能と、
を前記情報処理装置に持たせるプログラム。
【請求項１３】
請求項１２に記載のプログラムにおいて、
さらに、
前記情報処理装置は、
前記端末識別情報を、当該端末識別情報に対応する前記携帯通信端末のデータ通信用のアドレスに対応付けて記憶するアドレス記憶手段と、
前記移動体の現在位置を示す位置情報を、前記移動体の前記移動体識別情報に対応付けて記憶する位置情報記憶手段と、
前記携帯通信端末に提供すべき少なくとも一つの提供情報を、位置情報に対応付けて記憶する提供情報記憶手段と、
に接続可能であり、
前記更新機能が前記在圏情報記憶機能に記憶されている前記端末識別情報を更新するたびに、前記更新機能によって削除された前記端末識別情報に対応する前記アドレスを前記アドレス記憶手段に記憶されている情報から読み出すアドレス読出機能と、
前記更新機能が前記在圏情報記憶機能を更新するたびに、前記在圏情報記憶機能から削除された前記端末識別情報に対応する前記移動体識別情報に対応する位置情報を前記位置情報記憶手段から読み出す位置読出機能と、
前記位置読出機能が読み出した位置情報に対応する提供情報を前記提供情報記憶手段から読み出す提供情報読出機能と、
前記提供情報読出機能が読み出した前記提供情報を前記アドレス読出機能が読み出した前記アドレスを用いて送信する情報送信機能と、
を前記情報処理装置に持たせるプログラム。
【請求項１４】
人が乗降する移動体に取り付けられ、携帯通信端末と通信する中継装置と、
前記中継装置と通信する情報処理装置と、
を用いた情報処理方法であって、
前記中継装置は、
当該中継装置の通信圏内に位置する前記携帯通信端末に対して繰り返し通信を試み、
通信が確立した前記携帯通信端末のそれぞれから当該携帯通信端末を識別する端末識別情報を受信し、受信した前記端末識別情報を、前記中継装置又は前記移動体を識別する移動体識別情報とともに、在圏情報として前記情報処理装置に送信し、
前記情報処理装置は、前記中継装置から受信した在圏情報を記憶し、かつ、新たな前記在圏情報を前記中継装置から受信するたびに、記憶している前記端末識別情報を更新する情報処理方法。
【発明の詳細な説明】
【技術分野】
【０００１】
本発明は、情報処理システム、中継装置、情報処理装置、プログラム、及び情報処理方法に関する。
【背景技術】
【０００２】
ユーザの携帯通信端末に適切なタイミングで適切な情報を送信する技術の開発が進められている。このような技術の一つに、ユーザが車両で移動したときに、その移動先に合わせて情報を提供するものがある。【０００３】
例えば特許文献１には、車載ナビゲーション装置に広告情報を送信しておき、車両からユーザが降車したことを検出したとき、車載ナビゲーション装置がユーザの携帯ナビゲーション装置に広告情報を送信することが記載されている。特許文献１のシステムは、車両のドアがロックされた場合、ドアが閉状態になった場合、エンジンが停止状態になった場合、又はイグニッションキーがオフの位置になった場合に、車両からユーザが降車したと判断している。【０００４】
なお、特許文献２には、車両に搭載されているナビゲーション装置が算出した位置情報をユーザの携帯端末が受信し、この位置情報を、その携帯端末の位置情報として携帯端末がサーバに送信することが記載されている。サーバは、携帯端末から受信した位置情報に基づいてサービスを提供する。
【先行技術文献】
【特許文献】
【０００５】
【特許文献１】特開２００６−１３３１４１号公報
【特許文献２】特開２０１３−１２２６９４号公報
【発明の概要】
【発明が解決しようとする課題】
【０００６】
本発明者は、バスや電車など、不特定多数の人が乗車する移動体で移動する人に対して、適切なタイミングで適切な情報を提供することを検討した。このためには、移動体に乗降する人を特定する必要がある、と考えた。【０００７】
本発明の目的は、移動体に乗降する人を特定することができる情報処理システム、中継装置、情報処理装置、プログラム、及び情報処理方法を提供することにある。
【課題を解決するための手段】
【０００８】
本発明によれば、人が乗降する移動体に取り付けられ、携帯通信端末と通信する中継装置と、
前記中継装置と通信する情報処理装置と、
を備え、
前記中継装置は、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信手段と、
前記第１通信手段が通信を試みるたびに、前記中継装置又は前記移動体を識別する移動体識別情報、及び前記第１通信手段が受信した前記端末識別情報を、在圏情報として前記情報処理装置に送信する第２通信手段と、
を有し、
前記情報処理装置は、
前記第２通信手段から受信した在圏情報を記憶する在圏情報記憶手段と、
新たな前記在圏情報を前記第２通信手段から受信するたびに、前記在圏情報記憶手段が記憶している前記端末識別情報を更新する更新手段と、
を備える情報処理システムが提供される。【０００９】
本発明によれば、人が乗降する移動体に取り付けられ、携帯通信端末と通信する中継装置であって、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信手段と、
前記第１通信手段が通信を試みるたびに、前記中継装置又は前記移動体を識別する移動体識別情報、及び前記第１通信手段が受信した前記端末識別情報を、在圏情報として情報処理装置に送信する第２通信手段と、
を備える中継装置が提供される。【００１０】
本発明によれば、人が乗降する移動体に取り付けられていて携帯通信端末と通信する中継装置と通信する情報処理装置であって、
前記中継装置又は前記移動体を識別する移動体識別情報、及び前記中継装置が前記携帯通信端末から受信した端末識別情報を、在圏情報として記憶する在圏情報記憶手段と、
新たな前記在圏情報を前記中継装置から受信し、かつ前記在圏情報を受信するたびに、前記在圏情報記憶手段が記憶している前記端末識別情報を更新する更新手段と、
を備える情報処理装置が提供される。【００１１】
本発明によれば、人が乗降する移動体に取り付けられ、携帯通信端末と通信する中継装置に用いられるプログラムであって、
当該中継装置の通信圏内に位置する前記携帯通信端末に対して繰り返し通信を試み、通信が確立した前記携帯通信端末のそれぞれから当該携帯通信端末を識別する端末識別情報を受信する第１通信機能と、
前記第１通信機能により前記中継装置が通信を試みるたびに、前記中継装置又は前記移動体を識別する移動体識別情報、及び前記第１通信機能によって受信した前記端末識別情報を、在圏情報として前記情報処理装置に送信する第２通信機能と、
を前記中継装置に持たせるプログラムが提供される。【００１２】
本発明によれば、情報処理装置に用いられるプログラムであって、
前記情報処理装置は、人が乗降する移動体に取り付けられていて携帯通信端末と通信する中継装置と通信し、
前記中継装置又は前記移動体を識別する移動体識別情報、及び前記中継装置が前記携帯通信端末から受信した端末識別情報を、在圏情報として記憶する在圏情報記憶機能と、
新たな前記在圏情報を前記中継装置から受信し、かつ前記在圏情報を受信するたびに、前記在圏情報記憶機能に記憶されている前記端末識別情報を更新する更新機能と、
を前記情報処理装置に持たせるプログラムが提供される。【００１３】
本発明によれば、人が乗降する移動体に取り付けられ、携帯通信端末と通信する中継装置と、
前記中継装置と通信する情報処理装置と、
を用いた情報処理方法であって、
前記中継装置は、
当該中継装置の通信圏内に位置する前記携帯通信端末に対して繰り返し通信を試み、
通信が確立した前記携帯通信端末のそれぞれから当該携帯通信端末を識別する端末識別情報を受信し、受信した前記端末識別情報を、前記中継装置又は前記移動体を識別する移動体識別情報とともに、在圏情報として前記情報処理装置に送信し、
前記情報処理装置は、前記中継装置から受信した在圏情報を記憶し、かつ、新たな前記在圏情報を前記中継装置から受信するたびに、記憶している前記端末識別情報を更新する情報処理方法が提供される。
【発明の効果】
【００１４】
本発明によれば、移動体に乗降する人を特定することができる。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】第１の実施形態に係る情報処理システムの構成を示す図である。
【図２】中継装置の機能構成を示すブロック図である。
【図３】情報処理装置の機能構成を示すブロック図である。
【図４】在圏情報記憶部が記憶しているデータの一例をテーブル形式で示す図である。
【図５】中継装置及び情報処理装置が行う動作の一例を示すフローチャートである。
【図６】第２の実施形態に係る情報処理システムの構成を示す図である。
【図７】位置情報生成部の機能構成の一例を示すブロック図である。
【図８】情報処理装置の機能構成を示すブロック図である。
【図９】アドレス記憶部が記憶しているデータの一例をテーブル形式で示す図である。
【図１０】位置情報記憶部が記憶しているデータの一例をテーブル形式で示す図である。
【図１１】提供情報記憶部が記憶しているデータの一例をテーブル形式で示す図である。
【図１２】本実施例に係る中継装置及び情報処理装置の動作の一例を示すフローチャートである。
【図１３】第３の実施形態に係る情報処理システムの構成を示す図である。
【図１４】第４の実施形態に係る情報処理システムの構成を示す図である。
【図１５】第５の実施形態に係る位置情報生成部の機能構成を示すブロック図である。
【図１６】第５の実施形態に係る情報処理装置の機能構成を示すブロック図である。
【図１７】変換情報記憶部が記憶しているデータの一例をテーブル形式で示す図である。
【発明を実施するための形態】
【００１７】
以下、本発明の実施の形態について、図面を用いて説明する。尚、すべての図面において、同様な構成要素には同様の符号を付し、適宜説明を省略する。
【００１８】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１９】
（第１の実施形態）
図１は、第１の実施形態に係る情報処理システムの構成を示す図である。この情報処理システムは、中継装置１００及び情報処理装置２００を備えている。中継装置１００は、人が乗降する移動体２０に取り付けられ、携帯通信端末３０と通信する。情報処理装置２００は、通信網１０を介して中継装置１００と通信する。中継装置１００と通信網１０は、無線通信を行う。通信網１０は、例えばインターネットや携帯通信網などの公衆通信網である。
【００２０】
移動体２０は、例えばバスや列車など、不特定多数の人が乗降する乗り物である。そして移動体２０に取り付けられた中継装置１００は、その移動体２０に乗車している人が所持している携帯通信端末３０に対して繰り返し通信を試み、通信できた携帯通信端末３０を識別する情報（以下、端末識別情報と記載）を、通信網１０を介して情報処理装置２００に送信する。
【００２１】
情報処理装置２００は、中継装置１００から受信した端末識別情報を記憶する。この記憶された端末識別情報は、どの携帯通信端末３０が中継装置１００の通信圏内に位置しているかを示している。一方、携帯通信端末３０が中継装置１００の通信圏内に位置している場合、その携帯通信端末３０の所有者は、移動体２０に乗車していると推定できる。従って、情報処理装置２００が記憶している端末識別情報は、移動体２０に乗車している人を特定する情報となる。
【００２２】
また、情報処理装置２００は、繰り返し中継装置１００から情報を受信し、記憶している端末識別情報を更新する。そしてこの更新の際に削除された端末識別情報は、移動体２０から降車した人を特定する情報となる。
【００２３】
このように、中継装置１００の通信圏内に位置する携帯通信端末の端末識別情報を情報処理装置２００が管理することにより、移動体２０に乗降する人を特定することができる。また、端末識別情報が情報処理装置２００に追加又は削除された場所（例えば停留所）を管理することで、情報処理装置２００は、移動体２０に乗降した人の位置を、リアルタイムに特定することができる。
【００２４】
図２は、中継装置１００の機能構成を示すブロック図である。中継装置１００は、第１通信部１１０、移動体識別情報記憶部１２２、及び第２通信部１２０を備えている。
【００２５】
第１通信部１１０は、その中継装置１００の通信圏内に位置する携帯通信端末３０に対して繰り返し通信を試み、通信が確立した携帯通信端末３０のそれぞれからその携帯通信端末３０の端末識別情報を受信する。中継装置１００と携帯通信端末３０の間の通信は、例えば無線ＬＡＮ（ＩＥＥＥ  ８０２．１１）やＢｌｕｅｔｏｏｔｈ（登録商標）（ＩＥＥＥ  ８０２．１５．１）を用いて行われる。そして、無線ＬＡＮの通信規格を活用すれば、その携帯通信端末３０のＭＡＣアドレス（Media Access Control address）を中継装置１００において取得可能である。この場合、中継装置１００は、このＭＡＣアドレスを端末識別情報として使用する。なお、端末識別情報は、ＭＡＣアドレス以外の情報であっても良い。また、第１通信部１１０が携帯通信端末３０と通信を試みるタイミングは、停留所や駅を発車した直後であるが、定期的（例えば１分間隔）であってもよい。
【００２６】
移動体識別情報記憶部１２２は、中継装置１００又は移動体２０を識別する情報（以下、移動体識別情報と記載）を記憶している。
【００２７】
第２通信部１２０は、第１通信部１１０が通信を試みるたびに、移動体識別情報記憶部１２２が記憶している移動体識別情報を、第１通信部１１０が受信した端末識別情報とともに、在圏情報として情報処理装置２００に送信する。
【００２８】
図３は、情報処理装置２００の機能構成を示すブロック図である。情報処理装置２００は、在圏情報記憶部２１０及び更新部２２０を備えている。在圏情報記憶部２１０は、中継装置１００の第２通信部１２０から受信した在圏情報を記憶する。具体的には、在圏情報記憶部２１０は、移動体識別情報別に、端末識別情報を記憶している。更新部２２０は、第２通信部１２０から新たな在圏情報を受信するたびに、在圏情報記憶部２１０が記憶している端末識別情報を更新する。なお、在圏情報記憶部２１０と更新部２２０は、ハードウエア上は互いに別の装置であっても良い。
【００２９】
図４は、在圏情報記憶部２１０が記憶しているデータの一例をテーブル形式で示す図である。本図に示すように、在圏情報記憶部２１０は、移動体識別情報別に、端末識別情報を記憶している。
【００３０】
図５は、中継装置１００及び情報処理装置２００が行う動作の一例を示すフローチャートである。中継装置１００の第１通信部１１０は、繰り返し携帯通信端末３０と通信を試み、その中継装置１００の通信圏内に位置する携帯通信端末３０の端末識別情報を受信する（ステップＳ１１０）。そして中継装置１００の第２通信部１２０は、第１通信部１１０が通信を試みるたびに、移動体識別情報記憶部１２２が記憶している移動体識別情報を、第１通信部１１０が受信した端末識別情報とともに、在圏情報として情報処理装置２００に送信する（ステップＳ１２０）。
【００３１】
情報処理装置２００の更新部２２０は、中継装置１００の第２通信部１２０から新たな在圏情報を受信するたびに、在圏情報記憶部２１０が記憶している端末識別情報を更新する（ステップＳ２１０）。
【００３２】
以上、本実施形態によれば、情報処理装置２００の在圏情報記憶部２１０は、移動体識別情報別に、端末識別情報を記憶している。この端末識別情報は、その移動体識別情報が示す移動体２０に設けられた中継装置１００の通信圏内に位置している携帯通信端末３０、すなわち移動体２０に乗車している人を示している。このため、情報処理装置２００は、移動体２０に乗車している人を特定することができる。
【００３３】
また、情報処理装置２００は、繰り返し中継装置１００から情報を受信し、記憶している端末識別情報を更新する。そして、情報処理装置２００は、この更新の際に削除された端末識別情報を認識することにより、移動体２０から降車した人を特定することができる。
【００３４】
（第２の実施形態）
図６は、第２の実施形態に係る情報処理システムの構成を示す図である。本図に示す情報処理システムは、以下の点を除いて、第１の実施形態に係る情報処理システムと同様の構成である。
【００３５】
まず、情報処理装置２００は、中継装置１００の通信圏外になった携帯通信端末３０（以下、携帯通信端末３０ａと記載）に対して、情報（以下、提供情報と記載）を送信する。なお、携帯通信端末３０ａを所有している人は、移動体２０から降車したと推定される。そして提供情報は、例えば、その降車位置の近隣に位置する店舗の広告情報である。なお、提供情報は、携帯通信端末３０ａのユーザにサービスを提供するためのプログラム等、他の情報であってもよい。
【００３６】
また、移動体２０には位置情報生成部４００が取り付けられている。位置情報生成部４００は、移動体２０の位置情報を生成して、通信網１０を介して情報処理装置２００に送信する。情報処理装置２００は、移動体２０の位置情報を、携帯通信端末３０に送る提供情報を選択するときに使用する。
【００３７】
図７は、位置情報生成部４００の機能構成の一例を示すブロック図である。本図に示す例において、位置情報生成部４００は、ＧＰＳ処理部４１０、位置情報送信部４２０、及び移動体識別情報記憶部４２２を備えている。
【００３８】
ＧＰＳ処理部４１０は、複数のＧＰＳ（Global Positioning System）衛星からＧＰＳ情報を受信し、受信したＧＰＳ情報を処理することで移動体２０の位置情報を生成する。この位置情報は、例えば緯度経度情報である。移動体識別情報記憶部４２２は、移動体２０の移動体識別情報を記憶している。そして位置情報送信部４２０は、ＧＰＳ処理部４１０が位置情報を生成すると、移動体識別情報記憶部４２２から移動体識別情報を読み出し、読み出した移動体識別情報をＧＰＳ処理部４１０が生成した位置情報とともに情報処理装置２００に送信する。
【００３９】
なお、ＧＰＳ処理部４１０は、定期的（例えば１分おき）に、位置情報を生成する。ただし、ＧＰＳ処理部４１０は、移動体２０が停留所や駅を発車した直後に位置情報を生成しても良い。
【００４０】
図８は、本実施形態に係る情報処理装置２００の機能構成を示すブロック図である。情報処理装置２００は、在圏情報記憶部２１０及び更新部２２０のほかに、アドレス記憶部２３０、位置情報記憶部２４０、提供情報記憶部２５０、アドレス読出部２６０、位置読出部２７０、提供情報読出部２８０、及び情報送信部２９０を備えている。
【００４１】
アドレス記憶部２３０は、携帯通信端末３０のデータ通信用のアドレス（例えばメールアドレス）を端末識別情報に対応付けて記憶している。位置情報記憶部２４０は、移動体２０の現在位置を示す位置情報を、移動体２０の移動体識別情報に対応付けて記憶する。提供情報記憶部２５０は、携帯通信端末３０に提供すべき少なくとも一つの提供情報を、位置情報に対応付けて記憶する。
【００４２】
アドレス読出部２６０は、更新部２２０が在圏情報記憶部２１０を更新するたびに、在圏情報記憶部２１０から削除された端末識別情報に対応するアドレスを、アドレス記憶部２３０ら読み出す。位置読出部２７０は、更新部２２０が在圏情報記憶部２１０を更新するたびに、在圏情報記憶部２１０から削除された端末識別情報に対応する移動体識別情報に対応する位置情報を、位置情報記憶部２４０から読み出す。提供情報読出部２８０は、位置読出部２７０が読み出した位置情報に対応する提供情報を、提供情報記憶部２５０から読み出す。そして情報送信部２９０は、提供情報読出部２８０が読み出した提供情報を、アドレス読出部２６０が読み出したアドレスを用いて携帯通信端末３０ａに送信する。
【００４３】
なお、アドレス記憶部２３０、位置情報記憶部２４０、及び提供情報記憶部２５０は、情報処理装置２００の外部に設けられていても良い。
【００４４】
また、情報処理装置２００は、さらに位置情報更新部２４５を備えている。位置情報更新部２４５は、移動体２０に取り付けられた位置情報生成部４００から、位置情報及び移動体識別情報を繰り返し受信する。そして位置情報更新部２４５は、受信した情報を用いて位置情報更新部２４５が記憶している位置情報を更新する。
【００４５】
図９は、アドレス記憶部２３０が記憶しているデータの一例をテーブル形式で示す図である。本図に示すように、アドレス記憶部２３０は、複数の携帯通信端末３０それぞれのアドレスを、その携帯通信端末３０の端末識別情報（例えばＭＡＣアドレス）に対応付けて記憶している。なお、携帯通信端末３０のアドレスは、例えば携帯通信端末３０のユーザによって予めアドレス記憶部２３０に登録されている。
【００４６】
図１０は、位置情報記憶部２４０が記憶しているデータの一例をテーブル形式で示す図である。本図に示すように、位置情報記憶部２４０は、複数の移動体２０それぞれの移動体識別情報を、その移動体２０の位置情報に対応付けて記憶している。
【００４７】
図１１は、提供情報記憶部２５０が記憶しているデータの一例をテーブル形式で示す図である。本図に示すように、提供情報記憶部２５０は、位置情報別に、少なくとも一つの提供情報を記憶している。本図に示す例では、提供情報記憶部２５０は、位置情報が示す数値に幅を持たせた上で、その幅（数値範囲）別に提供情報を管理している。そして提供情報読出部２８０は、位置読出部２７０が読み出した位置情報を含む数値範囲に対応する提供情報を、提供情報記憶部２５０から読み出す。
【００４８】
図１２は、本実施例に係る中継装置１００及び情報処理装置２００の動作の一例を示すフローチャートである。本図に示す処理は、Ｓ２１０までの処理は、図５に示した処理と同様である。なお、位置情報生成部４００は、本図に示すフローチャートから独立して動作している。また、Ｓ１２０とＳ２１０の間に、ＭＡＣアドレス等を用いたユーザ認証処理が行われても良い。
【００４９】
情報処理装置２００の更新部２２０は、在圏情報を更新すると、在圏情報記憶部２１０から削除された端末識別情報をアドレス読出部２６０に出力するとともに、移動体識別情報を位置読出部２７０に出力する。そして、アドレス読出部２６０は、更新部２２０から受信した端末識別情報に対応するアドレスを、アドレス記憶部２３０から読み出す（ステップＳ２１２）。また、位置読出部２７０は、更新部２２０から受信した移動体識別情報に対応する位置情報を、位置情報記憶部２４０から読み出す（ステップＳ２１４）。
【００５０】
さらに、提供情報読出部２８０は、位置読出部２７０が読み出した位置情報に対応する提供情報を、提供情報記憶部２５０から読み出す（ステップＳ２１６）。そして、情報送信部２９０は、提供情報読出部２８０が読み出した提供情報を、アドレス読出部２６０が読み出したアドレスを用いて携帯通信端末３０ａに送信する（ステップＳ２１８）。
【００５１】
以上、本実施形態によっても、第１の実施形態と同様の効果が得られる。また、情報処理装置２００の情報送信部２９０は、移動体２０から降車したと推定される人が所有している携帯通信端末３０ａに、その降車位置に基づいた提供情報を送信することができる。
【００５２】
また、情報処理装置２００の位置情報更新部２４５は、繰り返し位置情報生成部４００から位置情報及び移動体識別情報を受信し、受信した位置情報及び移動体識別情報を用いて位置情報記憶部２４０を更新する。従って、情報送信部２９０が携帯通信端末３０ａに提供する提供情報は、さらに的確な情報になる。
【００５３】
（第３の実施形態）
図１３は、第３の実施形態に係る情報処理システムの構成を示す図である。本実施形態に係る情報処理システムは、以下の点を除いて第２の実施形態に係る情報処理システムと同様の構成である。
【００５４】
まず、位置情報生成部４００及び中継装置１００は、移動体２０の内部に設けられた通信回線（有線及び無線のいずれでもよい）を介して互いに通信している。そして位置情報生成部４００は、生成した位置情報及び移動体識別情報を、中継装置１００の第２通信部１２０及び通信網１０を介して情報処理装置２００に送信している。
【００５５】
なお、本実施形態において、位置情報生成部４００は移動体識別情報記憶部４２２を有していなくても良い。この場合、中継装置１００の第２通信部１２０は、位置情報を送信するときにも、移動体識別情報記憶部１２２から移動体識別情報を読み出して情報処理装置２００に送信する。
【００５６】
本実施形態によっても、第２の実施形態と同様の効果が得られる。また、位置情報生成部４００は、中継装置１００を介して情報処理装置２００に位置情報を送信するため、無線通信機能を有さなくて良い。
【００５７】
（第４の実施形態）
図１４は、第４の実施形態に係る情報処理システムの構成を示す図である。本実施形態に係る情報処理システムは、以下の点を除いて第３の実施形態に係る情報処理システムと同様の構成である。
【００５８】
まず、位置情報生成部４００は、通信網１０を介して位置情報及び移動体識別情報を情報処理装置２００に送信している。一方、中継装置１００は、位置情報生成部４００及び通信網１０を介して、端末識別情報及び移動体識別情報を情報処理装置２００に送信している。
【００５９】
なお、本実施形態において、中継装置１００は移動体識別情報記憶部１２２を有していなくても良い。この場合、位置情報生成部４００の位置情報送信部４２０は、端末識別情報を送信するときにも、移動体識別情報記憶部４２２から移動体識別情報を読み出して情報処理装置２００に送信する。
【００６０】
本実施形態によっても、第２の実施形態と同様の効果が得られる。また、中継装置１００は位置情報生成部４００を介して情報処理装置２００に端末識別情報を送信するため、無線通信機能を有さなくて良い。
【００６１】
（第５の実施形態）
本実施形態に係る情報処理システムは、位置情報生成部４００及び情報処理装置２００の構成を除いて、第２〜第４の実施形態のいずれかに係る情報処理システムと同様の構成である。
【００６２】
図１５は、本実施形態に係る位置情報生成部４００の機能構成を示すブロック図である。本実施形態に係る位置情報生成部４００は、移動体識別情報記憶部４２２の代わりに生成部識別情報記憶部４２４を有している点を除いて、第２〜第４の実施形態のいずれかに係る位置情報生成部４００と同様の構成である。生成部識別情報記憶部４２４は、その位置情報生成部４００を他の位置情報生成部４００から識別する情報（以下、生成部識別情報と記載）を記憶している。そして位置情報送信部４２０は、移動体識別情報の代わりに、生成部識別情報を位置情報とともに情報処理装置２００に送信する。
【００６３】
図１６は、本実施形態に係る情報処理装置２００の機能構成を示すブロック図である。本実施形態に係る情報処理装置２００は、変換情報記憶部２４７を有している点を除いて、第２〜第４の実施形態のいずれかに係る情報処理装置２００同様の構成である。変換情報記憶部２４７は、図１７のテーブルに示すように、複数の生成部識別情報を、その生成部識別情報に対応する位置情報生成部４００が取り付けられている移動体２０の移動体識別情報に対応付けて、記憶している。
【００６４】
本実施形態によっても、第２〜第４の実施形態と同様の効果が得られる。
【００６５】
以上、図面を参照して本発明の実施形態について述べたが、これらは本発明の例示であり、上記以外の様々な構成を採用することもできる。
【００６６】
この出願は、２０１３年８月２８日に出願された日本出願特願２０１３−１７６９５９号を基礎とする優先権を主張し、その開示の全てをここに取り込む。
【図１】
2015029683.tif 000003
【図２】
2015029683.tif 000004
【図３】
2015029683.tif 000005
【図４】
2015029683.tif 000006
【図５】
2015029683.tif 000007
【図６】
2015029683.tif 000008
【図７】
2015029683.tif 000009
【図８】
2015029683.tif 000010
【図９】
2015029683.tif 000011
【図１０】
2015029683.tif 000012
【図１１】
2015029683.tif 000013
【図１２】
2015029683.tif 000014
【図１３】
2015029683.tif 000015
【図１４】
2015029683.tif 000016
【図１５】
2015029683.tif 000017
【図１６】
2015029683.tif 000018
【図１７】
2015029683.tif 000019
【国際調査報告】
2015029683.tif 000020
2015029683.tif 000021